(57)【特許請求の範囲】
【請求項１】
操作部を備えた第一の筐体と表示部を備えた第二の筐体を、連結部を介して連結した折り畳み式携帯端末装置において、
前記第一の筐体に対して前記第二の筐体を第１の方向に回動可能とする第一回動軸と、
前記第一の筐体に対して前記第二の筐体を前記第１の方向と直交する第２の方向に回動可能とする第二回動軸と、を有する前記連結部と、
キートップシートと、
前記キートップシートの裏面に配置され、各キーの機能を印字したスライドシートと、
前記スライドシートに接続され、かつ、前記第一回動軸の回動に連動するよう配置された接続部材と、
を備え、
前記スライドシートは、前記第一回動軸の回動に連動して移動するとともに、前記スライドシートの各キーの機能を印字した文字列の間であって、かつ、当該スライドシートがスライドする方向に沿ってスリットを形成した
ことを特徴とする折り畳み式携帯端末装置。
【請求項２】
操作部を備えた第一の筐体と表示部を備えた第二の筐体を、連結部を介して連結した折り畳み式携帯端末装置において、
前記第一の筐体に対して前記第二の筐体を第１の方向に回動可能とする第一回動軸と、
前記第一の筐体に対して前記第二の筐体を前記第１の方向と直交する第２の方向に回動可能とする第二回動軸と、を有する前記連結部と、
キートップシートと、
前記キートップシートの裏面に配置され、各キーの機能を印字したスライドシートと、
前記スライドシートを囲う枠部と、を有する前記操作部と、
前記枠部に対し、前記キートップシートと反対側面に配置したプッシャーシートと、
前記スライドシートに接続され、かつ、前記第一回動軸の回動に連動するよう配置されたカムフォロア部材と、
を備え、
前記第一回動軸は突起部を備え、
前記第一の筐体が前記第二の筐体に対して、前記第一回動軸を中心に閉じ方向へ回動すると、前記突起部が前記カムフォロア部材を押圧して、前記スライドシートが移動するよう構成するとともに、
前記スライドシートの各キーの機能を印字していない領域にスライド方向に沿ってスリットを形成した
ことを特徴とする折り畳み式携帯端末装置。
【請求項３】
前記キートップシートは、前記枠部に固着されることを特徴とする請求項２記載の折り畳み式携帯端末装置。
【請求項４】
前記スライドシートは、第１の方向に第１印字群が印字されるとともに前記第１の方向と直交する第２の方向に第２印字群が印字され、
前記操作部は、前記スライドシートの印字面側に前記キートップシートを設け、
前記キートップシートには、前記スライドシートがスライドした際に、前記第１印字群と前記第２印字群のいずれか一方が、外部から視認可能な透明の表示窓を設け、
前記第一の筐体に対して前記第二の筐体が第１の方向に開いた状態では前記第１印字群が表示窓と重なり、前記第一の筐体に対して前記第二の筐体が第２の方向に開いた状態では前記第２印字群が表示窓と重なるように構成した請求項１または請求項２に記載の折り畳み式携帯端末装置。
【請求項５】
前記スライドシートに記載した二つの異なる方向に表示された文字は、互い違いに記載されていることを特徴とした請求項４に記載の折り畳み式携帯端末装置。
【請求項６】
前記第１の方向は、前記第一の筐体に対して前記連結部を前記第二の筐体とともに長手方向に開く方向であり、
前記第２の方向は、前記第一の筐体に対して前記第二の筐体を短手方向に開く方向であることを特徴とする請求項１または請求項２に記載の折り畳み式携帯端末装置。
【請求項７】
無線通信手段とテレビ放送受信手段を更に備え、
前記スライドシートには、無線通信用の文字とテレビ放送受信用の文字を記載し、
前記第一の筐体に対して前記連結部を前記第二の筐体とともに長手方向に開いたときは、前記無線通信用の文字を表示し、
前記第一の筐体に対して前記第二の筐体を短手方向に開いたときは、前記テレビ放送受信用の文字を選択的に表示するように構成した
請求項５または請求項６に記載の折り畳み式携帯端末装置。
【請求項８】
請求項２に記載の携帯端末装置において、
前記第一の筐体の内側に固定されたストッパー手段と、
前記ストッパー手段と前記カムフォロア部材とを接続する弾性部材とを備え、
前記スライドシートが所定量移動すると、前記カムフォロア部材が前記ストッパー手段に当接することを特徴とする折り畳み式携帯端末装置。
【請求項９】
四つの方向キーを有する請求項１または請求項２に記載の折り畳み式携帯端末装置において、
前記スライドシートの、各方向キーで囲まれた領域に、当該スライドシートがスライドする方向に第１スリットと第２スリットを形成し、さらに、前記第１スリットと前記第２スリットとを結ぶ第３スリットを形成した
ことを特徴とする折り畳み式携帯端末装置。
【請求項１０】
前記第１スリットと前記第２スリットと前記第３スリットにより、略Ｈ字形のスリットを形成したことを特徴とする請求項９に記載の折り畳み式携帯端末装置。
【請求項１１】
前記第３スリットは、前記スライドシートに印字された、第１印字群における四つの方向キーで囲まれた第一中心点と第２印字群における四つの方向キーで囲まれた第二中心点との間に形成されたことを特徴とする請求項９に記載の折り畳み式携帯端末装置。
【請求項１２】
請求項１または請求項２に記載の折り畳み式携帯端末装置における前記スライドシートに、前記スリットに代えて、複数の長穴を当該スライドシートのスライド方向に沿って設けたことを特徴とする折り畳み式携帯端末装置。
【請求項１３】
請求項１または請求項２に記載の折り畳み式携帯端末装置における前記スライドシートに、前記スリットに代えて、複数の微小な穴を当該スライドシートのスライド方向に沿って設けたことを特徴とする折り畳み式携帯端末装置。
【請求項１４】
前記スリットは、前記スライドシートの長手方向において、前記カムフォロア部材が接続される側と反対側端部の文字列間には形成しないことを特徴とする請求項１または請求項２に記載の折り畳み式携帯端末装置。
【請求項１５】
前記枠部の短手方向内側に第一凸部を形成し、
前記スライドシートの短手方向に第二凸部を形成し、
前記スライドシートの前記第二凸部が前記第一凸部と当接しながらスライドすることを特徴とする請求項２に記載の折り畳み式携帯端末装置。
【発明の詳細な説明】
【技術分野】
【０００１】
本発明は、２つの筐体を第１の方向と第２の方向にそれぞれ開閉可能に連結した折り畳み式携帯端末装置に関する。
【背景技術】
【０００２】
２つの筐体が重なりあうように連結した折り畳み式携帯電話機では、ユーザーは、折り畳み式携帯電話機を連結部を中心として開いた状態にして、テンキーなどの操作部を備えた第一の筐体を手に持ち、表示部を備えた第二の筐体を見るという使い方が一般的である。
【０００３】
ところが最近、テレビジョン放送を受信して表示する携帯電話機が実用化され、普及し始めている。そのため、横長のテレビジョン放送画面を見るには、表示部を第２の方向に回転させたほうが見やすいことが知られている。そのため、表示部を備えた第二の筐体を該筐体の端部に備えられた回動軸まわりで  第２の方向に機械的に回転させるとともに、表示部の方向を第１の方向から第２の方向に切り替える構造が提案されている（例えば、特許文献１参照）。
【０００４】
従来から提案されている折り畳み式携帯電話機の一例を図１８と図１９に示す。図１８の携帯電話機６０は、操作部７１を有する第一の筐体６１と、表示部７２を有する第二の筐体６２と、連結部６３の３つの筐体で構成されている。そして、第一の筐体６１に設けた第一回動軸６１ａに連結部６３を矢印Ａ方向に回動自在に支持している。連結部６３を矢印Ａ方向に回動することにより、第一の筐体６１に対して第二の筐体６２を第１の方向に開くことができる。そして、連結部６３には第二回動軸６３ａが設けてあり、第二の筐体６２を回動自在に支持している。このため、携帯電話機６０は、最終的に図１９に示すように第二の筐体６２の表示部７２を第２の方向に開いた形で使用することができる。
【０００５】
このような場合に、第二の筐体６２を第２の方向に開き、表示部７２を横長にしたときに、テンキーなどの操作部７１の配列と向きがテレビ放送を見るための配列と向きに変わると便利である。そのための方法として、操作部を液晶表示付きのタッチパネルにして、表示部７２の向きが変わった都度、液晶表示のキー配列と向きを変えることが考えられるのであるが、テレビ放送を見ている間、ずっと液晶表示とバックライトをつけておくわけにもいかない。液晶表示を一度消して、その後、必要によりタッチパネルをタッチして再び液晶表示をさせてからチャンネル選択をすることになる。また、電源が入っていない状態で、筐体の開閉を行なうと、最適な文字入力方向で表示しないことが考えられる（例えば、特許文献２参照）。
【特許文献１】特開２００６−２２８９９号公報
【特許文献２】特開２００１−２９６９５８号公報
【発明の開示】
【発明が解決しようとする課題】
【０００６】
本発明は、携帯電話機、ゲーム機やテレビ放送受信機能をもったＰＤＡ（Ｐｅｒｓｏｎａｌ  Ｄｉｇｉｔａｌ  Ａｓｓｉｓｔａｎｔｓ）など、２つの回動軸を備え第１の方向と第２の方向に開閉可能に連結した連結部を備えた折り畳み式携帯端末装置で、第二の筐体を折り畳んだ状態から連結部の回動軸を回動させて開く際に、テンキーなどの操作用の文字や記号を、液晶などの表示部の向きに合わせて変更することを第一の課題としている。
【０００７】
そして、電源が入っていなくても、テンキーなどの操作用の文字や記号を、液晶などの表示部の向きに合わせて切り替えることができる使い勝手の良い携帯端末装置を実現することを第二の課題としている。
【０００８】
さらに上記、表示部の向きにあわせて変更することを、使用者が意図的に操作を行わなくても第１の筐体に対して第２の筐体を開閉させることにより実現できることを第三の課題としている。
【０００９】
また、テンキーや四方向キー等を押しやすくして、押圧する際の操作性を向上することを第四の課題としている。
【課題を解決するための手段】
【００１０】
本発明は、操作部を備えた第一の筐体と表示部を備えた第二の筐体を、連結部を介して連結した折り畳み式携帯端末装置において、操作部には、各キーの機能について２方向の文字をあらかじめ印刷したスライドシートと、スライドシートを囲う枠部と、枠部の下面に固定したプッシャーシートと、枠部の上面に固定したキートップシートを設けている。
【００１１】
そして、スライドシートの各キーの機能を印字していない領域にスリットを形成し、キートップシートと枠部とプッシャーシートで囲まれた空間内でスライドシートをスライド可能に支持するとともに、スライドシートの一部を枠部とプッシャーシートとキートップシートで囲まれた空間から突出させて、枠部の外からスライド駆動するためのカムフォロア部材を設けている。
【００１２】
なお、カムフォロア部材（以下、フォロア部材と略す）は、第一回動軸の回動に連動するよう配置された接続部材として機能する。また、連結部には、第一の筐体に対して第二の筐体を第１の方向に回動可能とする第一回動軸と、第一の筐体に対して第二の筐体を第１の方向と直交する第２の方向に回動可能とする第二回動軸を設けている。
【００１３】
更に、第一回動軸にはフォロア部材をスライド移動させる突起部を固定して設けている。連結部を第一の筐体に対して第１の方向に回動させると、連結部に固定した第一回動軸と第一回動軸に固定した突起部を回転させ、突起部の動きによってフォロア部材を動かすことにより、スライドシートをスライドさせる。第一の筐体の操作部は、第一筐体に対して表示部を備えた第二筐体が第１の方向または第２の方向への回動に応じて操作部のキートップシートに設けられた表示窓から第二筐体の方向に応じた文字配列が選択的に視認できるようにしている。
【００１４】
すなわち、第一の筐体に対して連結部を第二の筐体とともに第１の方向に回動したときと、第一の筐体に対して第二の筐体を第２の方向に回動したときとで、第一の筐体の表示窓に、スライドシートに記載された二つの異なる方向に表示された文字のどちらかを表示するように構成している。
【００１５】
この構成により、第一の筐体に対して  連結部と第二の筐体を回動することによって、操作部のキー配列と表示の向きを第２の筐体の表示部に対して正しく切り替えることができる。
【００１６】
また本発明は、第一の筐体の内側に固定されたストッパー手段と、ストッパー手段と前記カムフォロア部材とを接続する弾性部材とを備え、スライドシートが所定量移動すると、前記カムフォロア部材が前記ストッパー手段に当接して、スライド移動を規制するよう構成している。
【００１７】
さらに  スライドシートの各キーの機能を印字していない領域にスリットを形成してスライドシートを撓みやすくしたことにより、テンキー等を押しやすくして、押圧する際の操作性を向上している。
【００１８】
また、四方向キーを有する折り畳み式携帯端末装置については、スライドシートの四方向キーの周囲に分散して配置される各キーの機能の印字部分の中央に相当する位置に略Ｈ字形のスリットを形成したことにより、四方向キーや四方向キーの中央に配置される決定キーを押しやすくして、押圧する際の操作性を向上している。
【００１９】
さらに、スライドシートのスリットをカムフォロアが接続される側（支点）と長手方向における反対側の端部となる文字列の間に形成しないようにすることにより、支点から最も離れた部位の剛性を確保している。
【００２０】
さらに、枠部の短手方向の内側と、スライドシートの短手方向にそれぞれ凸部を形成し、当接させることで、スライド移動時の横方向の位置ずれを防止している。
【発明の効果】
【００２１】
本発明によれば、携帯電話機、ゲーム機やテレビ放送受信機能をもったＰＤＡなど、２つの回動軸を備え第１の方向と第２の方向に開閉可能に構成した折り畳み式携帯端末装置で、第二の筐体を折り畳んだ状態から連結部の回動軸を回動させることにより、テンキーなどの操作用の文字や記号を、液晶などの表示部の向きに合わせて変更することができる。
【００２２】
また、切り替えを機械的に行なうため、携帯端末装置に電源が入っていないときに第１の筐体に対して第二の筐体の表示面を第１の方向  あるいは  第２の方向に回動させることにより、テンキーなどの操作用の文字や記号を、第二の筐体に備えられた液晶などの表示部の向きに合わせて切り替えることができる。
【００２３】
また、開閉動作だけで操作用の文字や記号の向きが切り替わるので、使用者が意図的な操作をしなくてもすむという効果がある。
【００２４】
また、スライドシートにスリットを形成することで、テンキーや四つの方向キー等を押しやすくして、押圧する際の操作性を向上している。
【００２５】
さらに、キートップシートと枠部とプッシャーシートによる密閉構造にすることで、スライドシートにスリットを形成した構成においても、防塵や防水機能に優れた構造となっている。
【００２６】
そして本発明は、上記構成に加えて、無線通信手段とテレビ放送受信手段を更に備え、スライドシートには、無線通信用の文字とテレビ放送受信用の文字を記載し、第一の筐体に対して連結部を第二の筐体とともに第１の方向に開いたときは、無線通信用の文字を表示し、第一の筐体に対して第二の筐体を第２の方向に開いたときは、テレビ放送受信用の文字を選択的に表示するように構成している。
【００２７】
この構成により、第１の方向に開いたときは、無線通信用の文字を表示し、第２の方向に開いたときは、テレビ放送受信用の文字を表示することができる。
【発明を実施するための最良の形態】
【００２８】
（実施の形態１）
本発明の実施の形態１では、第一の筐体に対して第二の筐体が第１の方向（筐体の第１の方向）に開かれたか、あるいは第２の方向（筐体の第２の方向）に開かれたかによって、第一の筐体と第二の筐体を連結している第三の筐体である連結部が、操作部を有する第一の筐体に対して開く、あるいは閉じたままであることを利用して課題を解決している。
【００２９】
図１に、本発明の実施の形態１に係る折り畳み式携帯電話機１００の第二の筐体２を第１の方向に開いた状態を斜視図として示す。操作部５１のある第一の筐体１は、図示しない軸受部で、第一回動軸９を回転可能に支持している。連結部３は軸保持部３ａ、３ｂにより第一回動軸９を連結部３に一体に固定している。また第一回動軸９には破線で示す突起部１２を固定している。そのため、連結部３と第一回動軸９と突起部１２は一体部品として回転する。連結部３の片隅には、破線で示す第二回動軸１０が第一回動軸９に直交するように設けてあり、第二回動軸１０には第二の筐体２が回動自在に取り付けられている。第二の筐体２には表示部５２を設けている。
【００３０】
なお、第一の筐体１の上面に位置する操作部５１には、キートップシート１６を設けている。キートップシート１６には透明な表示窓１６ａと不透明な部分１６ｂを設けて、表示窓１６ａから操作用の文字や記号が見えるように構成している。
【００３１】
このように、折り畳み式携帯電話機１００では、第二の筐体２を第一の筐体１に対して第１の方向に開くと、操作部５１のテンキーの数字については、電話機として使えるように、規格で定められた電話機用のテンキー配列で、第１の方向を上下とする向きで表示される。
【００３２】
図２に、本発明の実施の形態１に係る折り畳み式携帯電話機１００の第二の筐体２を第２の方向に開いた状態を斜視図として示す。各部分の配置は図１と同じであるが、第二の筐体２が閉じた状態から、第二回動軸１０の周りに回動して、第二の筐体２が第一の筐体１に対して第２の方向に開いている。なお、第一の筐体１に対して連結部３は閉じている。このとき、操作部５１のテンキーの数字については、テレビ放送受信機として使いやすいように、第一列目は左から「１」、「２」、「３」、「４」と並んでいる。第二列目は左から「５」、「６」、「７」、「８」と並んでいる。そして、第三列目は「９」、「１０」、「１１」、「１２」と並んでいる。数字の向きも筐体の第２の方向を上下とする向きで表示される。
【００３３】
折り畳み式携帯電話機１００では、第二の筐体２が第一の筐体１に対して第１の方向に開いた場合、第２の方向に開いた場合、それぞれにおいて、液晶表示部の表示の向きに適した向きで操作部５１の印字文字が見えるようにしている。以下に、その構成について詳細に説明する。
【００３４】
図３は、操作部５１の要部についての分解斜視図である。図３に示すように、スライドシート１３には、その表面に数字等のキーに割り付けられる操作用の文字や記号を印刷している。すなわち、電話機用のテンキーの数字、「１」「２」、「３」等が１４ａ、１４ｂ、１４ｃというように並んで印刷されている。
【００３５】
また、テレビチャンネル用の数字が、１５ａ、１５ｂ、１５ｃというように電話機用のテンキー用の数字と交互に並んで印字されている。
【００３６】
電話機用のテンキー用の数字（第１印字群）の向きは第二の筐体２の第１の方向を上下とする向きに、テレビチャンネル用の数字（第２印字群）は第２の方向の向きに９０度、角度を変えて印刷されている。そして、スライドシート１３の各キーの機能を印字していない領域にスリット８０を形成し、四方向キーの周囲に分散して配置される各キーの機能の印字部分の中央に相当する位置の近傍に略Ｈ字形スリット８１を形成している。
【００３７】
スライドシート１３は、薄いが、座屈しない程度の剛性を有するプラスチックシートでできている。そして、図３に示すように、一端にフォロア取り付け部１３ａを凸状に形成している。
【００３８】
なお、スリット８０と略Ｈ字形スリット８１は、スライドシート１３を上方から押圧したときに撓み易くする効果をもたらすが、スリット８０は後述するようにスライドシート１３のスライド移動方向に沿って細長く形成している。そのため、スライド動作をしてもスリット８０のある部分で折れ曲がることはない。略Ｈ字形スリット８１についても、Ｈ字の両側の縦方向の穴部分をスライド移動方向に沿って細長く形成している。同様に、スライド動作をしても略Ｈ字形スリット８１で折れ曲がることはない。
【００３９】
図３のスライドシート１３の周囲には枠部６、裏面側（印字面と反対面）にはプッシャーシート１９を配置している。枠部６は、スライドシート１３の動きを規制するためにスライドシートの周囲を囲むように設けられる。枠部６の下面（裏面）には、段差部６ａを設けて枠部６の肉厚を薄くして、上述したスライドシート１３のフォロア取り付け部１３ａが通るようにしている。枠部６の下面には、キーのクリック感を向上させるためにプッシャーシート１９を貼着して固定する。
【００４０】
なおスライドシート１３は、枠部６の下面にプッシャーシート１９を貼着して固定した状態で、プッシャーシート１９の上に置き、スライドシート１３の一端に形成したフォロア取り付け部１３ａを枠部の段差部６ａとプッシャーシート１９との隙間に通して、フォロア取り付け部１３ａにフォロア部材７を固定する。図４に、この状態の斜視図を示し、図５には、更に枠部６の上面に、後述するキートップシート１６を貼着したときの断面図を示す。
【００４１】
なお、枠部６には、段差部６ａを必ずしも形成する必要はなく、図６に示すように、段差部６ａに相当する部分を開口部６ｃとしてもよい。開口部６ｃで、スライドシート１３のフォロア取り付け部１３ａをスライド動作するようにすれば、枠部６の薄型化を図ることができる。
【００４２】
図３に戻って、スライドシート１３の表面側には、プラスチック部材等で構成されたキートップシート１６が重ねられる。キートップシート１６は、スライドシート１３のうち第１印字群あるいは第２印字群のみの印刷が見えるよう、１つの印字群の印字の大きさおよび印字間隔で表示窓１６ａを構成し、残り部分１６ｂを不透明に構成している。キートップシート１６は、枠部６の上面に貼着され固定される。キートップシート１６と枠部６とプッシャーシート１９により密閉された空間の中で、スライドシート１３がスライドする。
【００４３】
このように、本発明では、密閉した空間内でスライドシート１３をスライド移動させることにより、外部から繊維やほこりが密閉空間内に入らないようにしている。
【００４４】
このことにより、スライドシート１３に印刷してある第１印字群あるいは第２印字群の文字の上に繊維やほこりが乗ることを予防している。一般的に、キートップシートやプッシャーシートにスリットを設けると、押圧時のたわみに対する抵抗を小さくできるが、一方で、繊維やほこりの進入を防ぐことができないという問題が生じる可能性があるが、本発明では、プッシャーシートではなく、スライドシートにスリットを形成し、また、プッシャーシートとキートップシートと枠部で密閉構造とすることにより、スライドシート上に繊維やほこりが進入して印字された文字付近の見栄えが悪くなるのを防いでいる。
【００４５】
フォロア部材７は後述するように、第一回動軸９に取付けられる突起部１２に対し、第一回動軸９が所定角度以上になると追従して動く。したがって、フォロア部材７を固定したスライドシート１３は、枠部６とプッシャーシート１９とキートップシート１６で形成された密閉空間内で、第一回動軸９の回動に追従してスライドする。
【００４６】
図３において、枠部６とプッシャーシート１９の下方には、ダイヤフラム５と、キー回路基板４が配置される。ダイヤフラム５はスライドシート１３に印刷された数字および文字よりも少ない数だけ配置されている。ダイヤフラム５は上から押されると中央部がへこんで、中央部と重なり合う位置に設けた接点がキー回路基板４上のキー用接点回路と接して電気的に導通させて、押されたことを感知するようにしている。
【００４７】
図７（ａ）、（ｂ）に、本発明の実施の形態１に係る折り畳み式携帯電話機１００の第二の筐体２を第１の方向に開いた状態と、９０度の位置まで閉じたときの状態を部分断面図として示す。
【００４８】
第一の筐体１にはねじりコイルバネ保持部８が設けられていて、ねじりコイルバネ１１をバネ保持部８ａで支え、スライドシート１３に固着したフォロア部材７の端面を第一回動軸９に固定してある突起部１２に押すようにしている。ねじりコイルバネ１１の力でスライドシート１３は図面左方向に動こうとする。なお、ねじりコイルバネ保持部８の左端には、スライドシート１３の図面左方向の動きを止めるストッパー部８ｂを突出させている。スライドシート１３は他に動きを止めるものが無ければ、フォロア部材７がストッパー部８ｂに当たるまで第一の筐体内部で図面左方向に動く。
【００４９】
突起部１２は、第一回動軸９に取付けられている。突起部１２は、第１回動軸９が図中Ｄ矢印の向きに回転するとフォロア部材７の先端に当たり、スライドシート１３をスライド移動させる。
【００５０】
図７（ａ）の状態では、フォロア部材７はねじりコイルバネ保持部８のストッパー部８ｂに当たり静止している。そして、突起部１２は離れている。スライドシート１３は第１印字群、すなわち電話機用のテンキーの数字を表示した状態を保っている。
【００５１】
そして、図７（ａ）の状態から、第二の筐体２を第１の方向に閉じていくと、突起部１２がフォロア部材７に接触してフォロア部材７とスライドシート１３がスライド移動する。
【００５２】
図７（ｂ）に、第二の筐体２を第１の方向に９０度まで閉じ、突起部１２がフォロア部材７に接触したときの状態を示す。図７（ｂ）の状態から、連結部３が第二の筐体２とともに、第一の筐体１に対してＥ矢印のように閉じる方向に回転すると、連結部３と一体に固定されている第一回動軸９もＥ矢印のように回転する。第一回動軸９が回転すると、突起部１２も連動して回転する。突起部１２がＥ矢印のように回転すると、ねじりコイルバネ１１の力に抗してフォロア部材７を図面右方向、Ｆ矢印の方向に移動させる。
【００５３】
フォロア部材７の移動量は、第一の筐体１の隣り合う表示窓１６ａの１ピッチの半分にしている。すなわち、１ピッチを「Ｐ」とすると、フォロア部材７は、「Ｐ／２」だけ右に移動し、フォロア部材７が固定されているスライドシート１３も「Ｐ／２」だけ右に移動する。
【００５４】
このように、本発明の折り畳み式携帯電話機１００では、第二の筐体２を第１の方向に所定角度まで閉じたときに突起部１２によるフォロア部材７の移動が開始する。具体的には、第二の筐体２を第１の方向に９０度閉じるまでは、操作部５１のキー配列と表示の向きは、変化することなく、第二の筐体２を第１の方向に９０度より小さい角度に閉じると切り替わり始め、完全に閉じられると文字の切り替えが完了する。
【００５５】
これにより、使用者は、第二の筐体を閉じる動作をすることで、第一の筐体１に設けられたスライドシート１３を動かして、第２印字群、すなわちテレビチャンネル用の数字を表示した状態に切り替えることができる。なお、図７（ｂ）の状態から第二の筐体２を閉じていくときは、第一の筐体に設けたスライドシート１３がスライド動作しているにもかかわらず、その動きは第二の筐体２によって使用者の目からさえぎられる。そのため使用者が、実際に文字が変わっていくことを意識せずに文字の切り替えを行うことができる。
【００５６】
なお、本実施の形態１では第二の筐体２を第１の方向に９０度まで閉じたときにキー配列と表示の向きの切り替えが始まる例を説明したが、角度は９０度に限らない。
【００５７】
図８に、第二の筐体２を第１の方向に開ききったときの折り畳み式携帯電話機１００の平面図を示す。第二の筐体２が連結部３とともに開いているので、操作ボタンについては第一の筐体１の透明な表示窓１６ａから数字を見ることができる。図８では、電話機用として文字の向きの上から第一段目に「１」、「２」、「３」と並んでいるのが見える。第二段目に「４」、「５」、「６」と並んでいる。そして、第三段目に「７」、「８」、「９」と並んでいる。第四段目に「＊」、「０」、「＃」が並んでいる。このことにより、折り畳み式携帯電話機１００の表示部５２を縦長にしたときには、電話機の数字配置としてテンキーボタンを迷うことなく押すことができる。
【００５８】
図９は第二の筐体２を連結部３とともに第一の筐体１に対して閉じたときの状態を示し、図７と同様に第一の筐体１の中を断面で示している。第一の筐体１の中には、図示しない支持部によって固定されたキー回路基板４があり、キー回路基板４の上にはダイヤフラム５が、スライドシート１３に印刷された数字および文字よりも少ない数だけ配置されている。ダイヤフラム５の上にはプッシャーシート１９が固定されている。図面では、枠部６とプッシャーシート１９の断面形状がはっきりと見えるように、誇張して描いているが、全体の実際の厚さは薄く、プッシャーシート１９を上方から押すと、たわんで、直下のダイヤフラム５の中央部をへこませることによりキー入力を実現している。
【００５９】
図１０（ａ）に、第二の筐体２を第２の方向に開いたときの状態を示す。なお、第一の筐体１を断面で示している。連結部３は第一の筐体１に対して閉じたままであるが、第二の筐体２が第二回動軸１０の周りに回転し、表示部５２が見える。ここで、連結部３が第一の筐体１に対して閉じたままであるため、第一回動軸９は回転しない。つまり、突起部１２は回転せず、スライドシート１３の位置は、図９の第二の筐体２を閉じたときと同じである。
【００６０】
図１０（ｂ）に、第二の筐体２を第２の方向に開いたときの折り畳み式携帯電話機１００の平面図を示す。第二の筐体２が開いているので、操作ボタンについては第一の筐体１の表示窓１６ａから数字を見ることができる。図１０（ｂ）では、テレビチャンネル用の「１」から「１２」までの数字が、文字の向きの上から第一段目に「１」、「２」、「３」、「４」と並んでいるのが見える。第二段目に「５」、「６」、「７」、「８」と並んでいる。そして、第三段目に「９」、「１０」、「１１」、「１２」と並んでいる。
【００６１】
このことにより、折り畳み式携帯電話機１００の表示部５２をテレビ放送を見るために横長にしたときには、「１」から「１２」までのチャンネルのどれかを迷うことなく押すことができる。四方向キーの機能を示す表示についても、第二の筐体２の開く方向に対応した向きに表示が切り替わることは、テンキーと同じである。
【００６２】
図１１を用いて、スライドシート１３の各キーの機能を印字していない領域にスリット８０を形成したことにより、テンキー等を押圧する際に、抵抗力が少なく、確実に押圧でき、押しやすくしていることを説明する。図１１（ａ）は、図１０（ｂ）のＧ−Ｇ断面図であり、本発明の操作部５１のテンキー部分の部分断面図を示している。図１１（ｂ）は、本発明の操作部５１のテンキー部分のキートップシート１６の表示窓１６ａを指で押した状態を示す。図１１（ｃ）は、比較するために、スリットを形成していない従来のスライドシートを用いたときにテンキー部分を指で押した状態を示す。
【００６３】
図１１（ａ）に示すように、キー回路基板４の上には、ダイヤフラム５があり、ダイヤフラム５の上にはプッシャーシート１９の押し子１９ａが当接している。プッシャーシート１９の押し子１９ａの上には、スリット８０を形成したスライドシート１３がある。そして、スライドシート１３の上には、キートップシート１６がある。
【００６４】
本発明では、図１１（ｂ）に示したように、キートップシート１６の表示窓１６ａを指で押すと、前述したようにスライドシート１３にスリット８０を形成しているので、スライドシート１３を面でたわませるのではなく、スリットとスリットの間  あるいはスリットとスライドシートの端面とで構成された細長い短冊状の面を押すことになる。それにより、スライドシート１３をたわませるための力を低減させることができ  押し下げたい部分のみをたわませることが簡単にできる。確実に押圧することができる。
【００６５】
もし、スライドシート１３にスリットを形成していないと、図１１（ｃ）に示したように操作部５１のテンキーを押圧すると、キートップシート１６、スライドシート１３、そしてプッシャーシート１９という３つのシートのシート全体をたわませることになり、押圧により強い抵抗力が生ずる。特に、スライドシート１３は、スライド動作で簡単に座屈しない比較的剛性のあるプラスチックシートを用いるため、伸びにくく撓みにくい傾向がある。スライドシート１３の全体を撓ませるには一定値以上の押圧力を要する。そのため、テンキーを軽くタッチしたときは、抵抗力を感じたとしてもダイヤフラムが十分に変形しておらず、テンキーが押されたことが検出されないことも起きる。
【００６６】
次に、スライドシート１３の四方向キー９０の中央に略Ｈ字形スリット８１を形成した構成と効果について説明する。図１２は、スライドシート１３とこれに重ねられたキートップシート１６を上面から見た際の、四つの方向キー等に対応する部分を拡大した図である。スライドシート１３には、略Ｈ字形のスリット８１を形成している。略Ｈ字形のスリット８１は、スライドの移動方向に沿って形成した第一スリットおよび第二スリットと、第一スリットと第二スリットに略垂直に形成した第三スリットからなり、第１スリットと第２スリットとを第３スリットで結ぶ形に形成している。
【００６７】
図１２（ａ）を用いて説明する。図１２（ａ）は、先に図８で示した姿に対応する姿の第二の筐体２を第１の方向に開いたときの四方向キー９０周辺の表示窓と重なる印字部分（第１印字群）を実線で示している。このとき、スライドシート１３は図１２（ａ）の左へ移動している。
【００６８】
四方向キーの中心となるセンターＱとスライドシート１３の位置関係について説明する。図１２（ａ）では、スライドシート１３に形成した略Ｈ字形スリット８１はセンターＱの左側に位置している。そのため、四方向キーに囲まれたセンターキーを押圧したときに略Ｈ字形スリット８１により構成された右側が部分的にたわむことにより、四つの方向キーに囲まれたセンターキーを（たわみに対する）抵抗感が少なく確実に押圧することができる。
【００６９】
一方、図１２（ｂ）は、第二の筐体２を第２の方向に開いたときの四方向キー９０周辺の表示窓と重なる印字部分（第２印字群）を実線で示している。このとき、スライドシート１３は図１２（ｂ）の右へ移動している。図１２（ｂ）では、センターＱの右側に略Ｈ字形スリット８１が位置している。このため四方向キーの中央に位置するセンターキーを押圧したときに  略Ｈ字形スリット８１（特に第３スリット）により構成された左側が部分的にたわむことにより、センターキーを（たわみに対する）抵抗感が少なく確実に押圧することができる。
【００７０】
これらの四方向キーの中央で押される上述の右の部分と左の部分は、対称形であるため、四方向キー９０の中央を押したときの抵抗力もほぼ同じに感じる。そのためスライドシート１３の位置が切り替わったとしても、違和感がないという効果がある。
【００７１】
また、センターキーの周囲にある四方向キーを押圧する際にも設けられた略Ｈ字形スリット８１（特に第１スリットと第２スリット）によりスライドシート１３を押圧する場合において、スリットがなく面全体押圧することによりスライドシート１３を変形させるよりも抵抗感が少なく、確実に押圧することができる。
【００７２】
なお、スライドシート１３の各キーの機能を印字していない領域にスリット８０の形状については、図３、図４をはじめ上記の説明では細長くつながった四角い穴として示したが、図１３（ａ）のように細長い楕円状の穴を一列に互いに近接した形で形成してもよい。また、略Ｈ字形スリットを細長い楕円状の穴を略Ｈ字形に互いに近接した形で形成してもよい。
【００７３】
なお、スリットに限定されるものではなく、キーシートをたわませるための孔であればよく、その形状は本実施形態にスリットに限定されるものではない。例えば、スリットではなく、円形状の小さな孔を複数個、キーシートの移動方向に並べて形成するようにしてもよい。すなわち、図１３（ｂ）のように、米粒状の小さい細長い穴を一列に沢山並べた形で形成しても良い。更に、細長い穴でなく、図１４に示したように円い小穴を一列に沢山並べた形で形成しても良い。
【００７４】
図１５は、枠部６とプッシャーシート１９を一体にした後、スライドシート１３をプッシャーシート１９の上に置き、フォロア取り付け部１３ａを枠部の段差部６ａとプッシャーシート１９で出来る隙間を通した後、フォロア取り付け部１３ａにフォロア部材７を固定し、ねじりコイルバネ１１に係合させた状態の斜視図である。
【００７５】
図１６に図１５の断面図を示す。図１６に示すようにフォロア部材７の下部には溝７ａを形成していて、ねじりコイルバネ１１の先端部分を係合させている。ねじりコイルバネ１１は、ねじりコイルバネ保持部８に取り付けている。ねじりコイルバネ保持部８には、図７で示したときと同様の働きをする保持部８ａとストッパー８ｂを設けている。
【００７６】
また、ねじりコイルバネ１１の先端部分は円弧を描いて変移するが、フォロア部材７の下部の溝７ａの溝方向には滑るようにしている。また上記説明では詳述しなかったが、本発明は、スライドシート１３とフォロア部材７を固定する手段としてガイドピン２０をスライドシート１３のフォロア取り付け部１３ａの上からフォロア部材７に嵌入させている。そして、ガイドピン２０は第一の筐体１にスライド方向に設けた図示しないガイド溝が当たるようにしていて、スライドシート１３がスライドするときにスライド方向と直交する方向に動かないようにスライド動作を規制している。
【００７７】
このように、ガイドピン２０と第一の筐体１にスライド方向に設けた図示しないガイド溝によって、スライドシート１３のスライド動作を規制しているので、スライドシート１３はスライド方向にのみ動く。その結果、スライドシート１３は安定してスライドする。
【００７８】
なお、図１５において、スライドシート１３のスリット８０は、フォロア部材７が接続される側と反対側端部の文字列（「＊」「０」「＃」）の間には形成されていない。スライドシートの端面はたわみやすいため、スリットが無い状態であっても、操作感を損なうことは無い。また、スライドシートのフォロア部材７と反対側端部においてスライドシートの位置決めを行うため、スリットを削除することでスライドシートの剛性を確保し、位置精度の向上を図ることが出来る。
【００７９】
図１７（ａ）から図１７（ｃ）に、図７で示した第二の筐体２を連結部３とともに第一の筐体１に対して開閉したときのスライドシート１３の状態を表した部分断面の詳細を示す。
【００８０】
図１７（ａ）は第二の筐体２および連結部３が開ききった状態の断面図を、図１７（ｂ）は第二の筐体２および連結部３が９０度開いた状態の断面図を、図１７（ｃ）は、第一の筐体１に対して第二の筐体２を連結部３とともに閉じたときの部分断面図を示している。
【００８１】
以上実施の形態１では、第一回動軸９に固定された突起部１２が、第一回動軸の回動に伴って回動してフォロア部材７を押し、このフォロア部材７に接続されたスライドシート１３がスライド移動し、開いた状態と閉じた状態とにおいて、キートップシートの表示窓と重なる印字群が変わることで表示切替えを実現している。
【００８２】
すなわち、第一回同軸９の回動に伴い、スライドシート１３をスライド移動させて、機械的に操作部の表示内容と表示する向きを切り替えているため、携帯端末装置に電源が入っていなくても、確実に操作部の表示内容と表示する向きを切り替えることができる。
【００８３】
なお、突起部の配置は、本実施形態に限定するものではなく、第一回動軸９の回動が突起部１２に連動して伝わる構造であれば他の構造を用いてもよい。例えば、第一回動軸９と突起部１２の軸の間に別の軸を設け第一回動軸９と突起部１２を連動させてもよい。このことにより突起部の軸の位置を任意に設定することができる。
【００８４】
また、携帯端末装置の一つであるテレビ放送受信手段をもつ携帯電話機について説明したが、ゲーム機能付き携帯電話機において、第２の方向に開いたときにはゲーム機として使えるようにゲーム用のキー配列に切り替えるようにしても良い。その他、二つの異なる方向に表示された文字については、互い違いに配置しても良い。
【００８５】
また、第二筐体を第一筐体に対して第２の方向に開いた場合に  表示された文字の配列として、第一段目に「１」、「２」、「３」、「４」と、第二段目に「５」、「６」、「７」、「８」と、そして第三段目に「９」、「１０」、「１１」、「１２」と並べた例を示したが、メールなどの入力に対して  違和感なく行うためには、文字の向きを上から第一段目に「１」、「２」、「３」  第二段目に、「４」、「５」、「６」、第三段目に、「７」、「８」、「９」と並べてもよい。
【００８６】
また、スライドシート１３の位置精度を確保するための基準として本文では、ストッパー部８ｂで接触させることにより精度を確保しているが、スライドシート１３を枠部６の内側の端面に当てることにより位置精度を出す構造にしてもよい。
【００８７】
図３と図４の説明では、詳しい説明を省略したが、本発明では、枠部６の短手方向の内側に凸部６ｂを形成し、また、スライドシートの短手方向の両側に凸部１３ｂを形成している。これらは、スライドシートが移動する際に、枠部の凸部６ｂとスライドシートの凸部１３ｂがそれぞれ当接することで横方向に位置規制するものである。凸部により接触面積を小さく当てる（点当たり）ことによって位置規制することで、スライドシートの摺動抵抗への影響が小さくなる。さらにスライドシート及び枠の寸法精度が確保し易くなるため、スライドシートの位置精度の向上につながる。したがって、枠により、スライドシートの位置精度を確保しようとする場合には、このようなガイドは有用である。
【産業上の利用可能性】
【００８８】
本発明は、折り畳み式携帯電話機に限らず、表示画面を縦横に切り替えて使用するゲーム機や、テレビ放送受信機能を持ったＰＤＡなどにおいて、２つの回動軸を備え第１の方向と第２の方向に開閉可能に連結した折り畳み式携帯端末装置に適用できる。
【図面の簡単な説明】
【００８９】
【図１】本発明の実施の形態１に係る携帯電話機の筐体を第１の方向に開いた状態を示す斜視図
【図２】本発明の実施の形態１に係る携帯電話機の筐体を第２の方向に開いた状態を示す斜視図
【図３】本発明の実施の形態１に係る携帯電話機の操作部の要部についての分解斜視図
【図４】本発明の実施の形態１のスライドシート関連部分の構造を示す斜視図
【図５】本発明の実施の形態１のスライドシート関連部分の構造を示す部分断面図
【図６】本発明の実施の形態１の他のスライドシート関連部分の構造を示す斜視図
【図７】（ａ）本発明の実施の形態１に係る携帯電話機の筐体を第１の方向に開いた状態を示す部分断面図（ｂ）本発明の実施の形態１に係る携帯電話機の筐体を第１の方向に開いた状態を示す部分断面図
【図８】本発明の実施の形態１に係る携帯電話機の筐体を第１の方向に開いた状態を示す平面図
【図９】本発明の実施の形態１に係る携帯電話機を閉じたときの部分断面図
【図１０】（ａ）本発明の実施の形態１に係る携帯電話機の筐体を第２の方向に開いた状態を示す部分断面図（ｂ）本発明の実施の形態１に係る携帯電話機の筐体を第２の方向に開いた状態を示す平面図
【図１１】（ａ）本発明の実施の形態１に係る携帯電話機の操作部の部分断面図（ｂ）本発明の実施の形態１に係る携帯電話機の操作部の部分断面図（ｃ）本発明の実施の形態１と対比する従来の携帯電話機の操作部の部分断面図
【図１２】（ａ）本発明の実施の形態１に係る携帯電話機の操作部の平面図（ｂ）本発明の実施の形態１に係る携帯電話機の操作部の平面図
【図１３】（ａ）本発明の実施の形態１に係る携帯電話機の他のスライドシートの斜視図（ｂ）本発明の実施の形態１に係る携帯電話機の他のスライドシートの斜視図
【図１４】本発明の実施の形態１に係る携帯電話機の他のスライドシートの斜視図
【図１５】本発明の実施の形態１のスライドシート関連部分の構造を示す斜視図
【図１６】本発明の実施の形態１のスライドシート関連部分の構造を示す部分断面図
【図１７】（ａ）本発明の実施の形態１に係る携帯電話機の筐体を第１の方向に開いた状態を示す部分断面図（ｂ）本発明の実施の形態１に係る携帯電話機の筐体を第１の方向に開いた状態を示す部分断面図（ｃ）本発明の実施の形態１に係る携帯電話機の筐体を閉じた状態を示す部分断面図
【図１８】従来の携帯電話機の第二の筐体を第１の方向に開いた状態を示す斜視図
【図１９】従来の携帯電話機の第二の筐体を第２の方向に開いた状態を示す斜視図
【符号の説明】
【００９０】
１    第一の筐体
２    第二の筐体
３    連結部
４    キー回路基板
５    ダイヤフラム
６    枠部
７    フォロア部材
８    ねじりコイルバネ保持部
９    第一回動軸
１０    第二回動軸
１１    ねじりコイルバネ
１２    突起部
１３    スライドシート
１６    キートップシート
１９    プッシャーシート
５１    操作部
８０，８１    スリット
【要約】
【課題】第１の方向と第２の方向に開閉可能なテレビ放送受信機能付き携帯端末装置において、テレビ放送を横長画面で見ることができるとともに、操作部の表示の向きを画面にあわせて表示できる携帯端末装置を実現する。
【解決手段】操作部のある第一の筐体１の操作面側の内部に、操作部のキーの内容を表示するスライドシート１３を第一の筐体１にとりつけられたキートップシート１６と枠部６とプッシャーシートに囲まれた空間の中に配置し、連結部３に設けられた突起部１２の動きによってスライド可能にしておき、第二の筐体２を第１の方向に閉じると突起部１２が連動して回転することを利用して、スライドシート１３をずらし、電話用の数字配列からをチャンネル選択用の数字配列へ切り替え、表示の向きも９０度回転した表示に切り替えるよう構成した。スライドシート１３には、スリットを形成して押しやすくした。
【選択図】図７【図１】
0004216900.tif 000002
【図２】
0004216900.tif 000003
【図３】
0004216900.tif 000004
【図４】
0004216900.tif 000005
【図５】
0004216900.tif 000006
【図６】
0004216900.tif 000007
【図７】
0004216900.tif 000008
【図８】
0004216900.tif 000009
【図９】
0004216900.tif 000010
【図１０】
0004216900.tif 000011
【図１１】
0004216900.tif 000012
【図１２】
0004216900.tif 000013
【図１３】
0004216900.tif 000014
【図１４】
0004216900.tif 000015
【図１５】
0004216900.tif 000016
【図１６】
0004216900.tif 000017
【図１７】
0004216900.tif 000018
【図１８】
0004216900.tif 000019
【図１９】
0004216900.tif 000020